(57)【特許請求の範囲】
【請求項１】
外板の長手方向両端に一対の中板の一端部を開閉可能に枢軸止めし、外板の中央に短手方向に突出するプッシュボタンを内蔵係止したカバーを取り付けてなる、装身具を装着するための観音開き型プッシュ中留において、
１組のプッシュボタンと、
長手方向に摺動できるようにカバーに内蔵係止されて、中板を係止する係止爪を有するロック駒と、を備え、
プッシュボタンそれぞれの内端にロック駒それぞれがカム機構で係合しており、
よって、カム機構により、プッシュボタンそれぞれの短手方向の摺動に連動してロック駒それぞれが長手方向に摺動することによって、係止爪がカバーから長手方向に出没するものであって、
ロック駒それぞれを隔離する壁部を備える観音開き型プッシュ中留構造。
【請求項２】
請求項１に記載の観音開き型プッシュ中留構造であって、
外板には、中板を上方に押し上げる跳ね上げ片が設けられる観音開き型プッシュ中留構造。
【請求項３】
請求項１に記載の観音開き型プッシュ中留構造であって、
中板それぞれは表板を備え、
表板それぞれはカバーに向かって延出した屋根部を備え、
中板を閉じた状態で、屋根部それぞれによってカバー上面が覆われる観音開き型プッシュ中留構造。
【請求項４】
請求項１に記載の観音開き型プッシュ中留構造であって、
カム機構は、プッシュボタンの内端に形成されたカムと、ロック駒の内側に形成された倣い斜面から成る観音開き型プッシュ中留構造。
【請求項５】
請求項１、あるいは４のいずれかに記載の観音開き型プッシュ中留構造であって、
プッシュボタンの内端と、長手方向に沿って対向して配置される１組のロック駒の内側各々とが、カム機構で係合しており、プッシュボタンの押圧により、１組のロック駒各々が長手方向に互いに近づくように摺動する観音開き型プッシュ中留構造。
【請求項６】
請求項２に記載の観音開き型プッシュ中留構造であって、
跳ね上げ片は、長手方向に突出する舌片を備える観音開き型プッシュ中留構造。
【請求項７】
請求項１から６のいずれかに記載の観音開き型プッシュ中留構造であって、
中板の他端部に表板を回動可能に枢軸止めし、表板に装身具を回動可能に枢軸止めし、
かつ表板に係止爪が掛脱する係止部を設けた観音開き型プッシュ中留構造。
【発明の詳細な説明】
【０００１】
【産業上の利用分野】
本発明は、時計バンド、ブレスレット、あるいはネックレス等の装身具を手首等に装着するための観音開き型プッシュ中留構造に関するものである。
【０００２】
【従来の技術】
従来の時計バンド用観音開き型プッシュ中留の構造として、実公平６ー３６７４２号公報に開示された技術がある。その概略を、図５と図６に示す。図５は、該観音開き型プッシュ中留を半展開状にて示す斜視図、図６は、同プッシュボタン部分の拡大横断面図である。
【０００３】
この従来の観音開き型プッシュ中留においては、外板５０の中間上にカバー５５がロー付けされ、カバー５５の内面には、Ｖ形板バネ６０を挟んでプッシュボタン６５を配列している。プッシュボタン６５は、長穴９０ａ、９０ｂを通る止ネジ９５ａ、９５ｂによって、スライド可能に固定される。また、バンド７０ａ、７０ｂのヘッド部分７５ａ、７５ｂには、双方に係止溝８０ａ、８０ｂを設け、プッシュボタン６５のそれぞれに係止爪８５ａ、８５ｂを設けている。よって、各々のヘッド部分７５ａ、７５ｂに、各々の係止爪８５ａ、８５ｂを係脱させ、計４ヶ所にてバンド７０ａ、７０ｂとプッシュボタン６５を着脱するようにしてある。
【０００４】
【発明が解決しようとする課題】
しかしながら、上記の構造において、バンド７０ａ（７０ｂ）を折りたたむ場合を鑑みると、まずバンド７０ａ（７０ｂ）を、バンド７０ａ（７０ｂ）の長手方向に沿って回動させて、ヘッド部分７５ａ（７５ｂ）をプッシュボタン６５の係止爪８５ａ、８５ｂに当接させ、さらにバンド７０ａ（７０ｂ）を圧して、係止爪８５ａ、８５ｂをバンド７０ａ（７０ｂ）の短手方向に没入させる。すなわち、バンド７０ａ（７０ｂ）を長手方向に沿って回動する力によって、それと直交する短手方向に係止爪８５ａ、８５ｂをスライドさせなければならない。これは、力学的に極めて効率が悪い。よって、係止爪８５ａ、８５ｂを没入させるには、バンド７０ａ（７０ｂ）をかなり大きい力で圧する必要があり、バンド７０ａ（７０ｂ）をプッシュボタン６５に係合させる操作が困難であった。
さらに、大きい力で圧する必要があるが故に、長手方向から短手方向への９０度方向に逃げる働きが負荷となり、ヘッド部分７５ａ（７５ｂ）との接触抵抗によって、係止爪８５ａ、８５ｂや係止溝８０ａ、８０ｂが削れたり、あるいは係止爪８５ａ、８５ｂが曲がったり、さらには長期にわったて使用していると、折れてしまうことがあった。
【０００５】
本発明の目的は、上記の問題点を解消し、４個のロック駒を独立させプッシュボタンとのカム倣い方式にすることにより、方向性を単一指向とし接触抵抗の軽減化を計ることにより削れの防止が可能となり、且つ、プッシュボタン操作のみで簡単に係止が解除し開放出来るようにした装身具の観音開き型プッシュ中留の構造を提供しようとしたものである。
【０００６】
【課題を解決するための手段】
本発明は、上記目的を達成するために、請求項１に記載された通り、
「外板の長手方向両端に一対の中板の一端部を開閉可能に枢軸止めし、外板の中央に短手方向に突出するプッシュボタンを内蔵係止したカバーを取り付けてなる、装身具を装着するための観音開き型プッシュ中留において、
１組のプッシュボタンと、
長手方向に摺動できるようにカバーに内蔵係止されて、中板を係止する係止爪を有するロック駒と、を備え、
プッシュボタンそれぞれの内端にロック駒それぞれがカム機構で係合しており、
よって、カム機構により、プッシュボタンそれぞれの短手方向の摺動に連動してロック駒それぞれが長手方向に摺動することによって、係止爪がカバーから長手方向に出没するものであって、
ロック駒それぞれを隔離する壁部を備える」観音開き型プッシュ中留である。
さらに詳しくは、外板３のバンド長手方向両端に一対の中板４を回転自由に取り付け、それぞれの前記中板４の先端部に表板２を回転の自由度を一部規制し取り付け、前記表板２に係止部２ａを有する角穴部が形成され、前記表板２の後方にバンド本体１を取り付け、前記外板３の中央部に直交する開口部５と、バンド長手方向両端には４ヵ所の切欠部６ａ、中央に壁部６ｂ、ガイド部６ｃと、上面に２ヵ所の穴６ｄを有するカバー６を配設し、一方、プッシュボタン７は、内端部両端にカム７ｂと長穴７ａが形成され、更に中央部には、ロック駒８、９が前記壁部６ｂとプッシュボタン７とに挟まれて配設し、前記ロック駒８、９にはバネ１１をガイドする止め穴、係止爪８ａ、９ａ、倣い斜面８ｂ、９ｂが形成され、前記プッシュボタン７とロック駒８、９及び前記プッシュボタン７を左右にロック駒８、９を返して押圧するバネ１１を、前記開口部５と切欠部６ａに内蔵係止し、前記係止爪８ａ、９ａとで前記係止部２ａを係止している。
【０００７】
【実施例】
以下、本発明のー実施例を図面に基づいて詳述する。図１は、本発明に係わる、時計バンドに用いた観音開き型プッシュ中留の斜視図、図２は、同観音開き型プッシュ中留の分解斜視図、図３は、同観音開き型プッシュ中留の係止部のバンド長手方向の組立断面図、図４は、同観音開き型プッシュ中留のプッシュボタン、ロック駒、バネの内蔵係止関係を示す平面組立断面図である。
【０００８】
図中１は、時計用のバンド本体であり、バンド本体１の間に本発明の観音開き型プッシュ中留が配されている。以下の説明において、長手方向とは、バンド本体１の長手に延びる方向を示し、短手方向とは、長手方向に直交する方向を示している。
【０００９】
３は外板であり、長手方向に延びる一対の湾曲した棒状体が、それらの中央部で隙間を有して短手方向に繋がった形状を成す。棒状体を短手方向に繋ぐ平板状の切片は、短手両方向に外方に向けて延出し、結果として外板３の中央部には、短手方向の外方に矩形状に突出する突出部３ａが、短手方向に対向して形成される。
また、外板３は、その長手方向両端に一対の中板４の一端を回転自由に取り付けている。さらに、外板３には、中板４の取り付け位置よりやや中央部寄りに、跳ね上げ片３ｂが形成されている。跳ね上げ片３ｂは、一対の湾曲した棒状体を短手方向に繋ぐ平板と、該平板から外板３の中央部に向かって長手方向に突出する舌片とより成り、該舌片はやや上方に向き、中板４に押されて撓むようになっている。
【００１０】
中板４各々の一端寄りには、跳ね上げ片３ｂが接触する凹部４ａが凹設され、その他端には、表板２がそれぞれ回転を一部規制して取り付けられる。
【００１１】
表板２は、矩形の平板形状を成し、その短手方向に沿った一端辺の下面に、下方に突出する凸部を有し、該凸部に長手方向に貫通した、後述するロック駒８、９の係止爪８ａ、９ａが挿入される角穴が、係止部２ａとして形成される。また、該凸部の係止部２ａの下方に中板４が連結される。
表板２における、該凸部が形成された一端辺より他端辺に至る平板部分は、カバー６上面を覆うための屋根部２ｂとなる。また、表板２は、その一端辺にバンド本体１を取り付けている。
表板２各々は、対称な形状であり、その他端辺が互いに対向するように中板４に連結されていることが、図２より見て取れる。
【００１２】
さて、カバー６は、平板を折り曲げて、長手方向に沿ったその断面が、下方に開口する略コの字形状を成し、カバー６の上面と両側面とで囲まれた、短手方向にぬける空間は、長手方向に沿う壁部６ｂによって仕切られている。壁部６ｂは、カバー６と一体に形成され、カバー６を長手方向におおよそ半分に割った位置に設けられている。
また、カバー６は、下方に突出する４本のガイド部６ａを有する。カバー６は、ガイド部６ａが突出部３ａに案内されて、外板３を短手方向に跨ぐように、その中央部に取り付けられる。
すると、カバー６の内壁と壁部６ｂと外板３の上面とで囲まれて、短手方向に沿った２ヵ所の箱型の中空部が形成される。その中空部の開口が、短手方向両端に対向する開口部５として示されている。
さらに、カバー６は、壁部６ｂの両側に長手方向に対向して穿設された計４ヵ所の切欠部６ａを有している。
【００１３】
さて、開口部５を有する中空部各々内には、壁部６ｂに接するように、互いに対称な形状である平板状の１組のロック駒８、９が長手方向に対向して配される。ロック駒８、９は、各々係止爪８ａ、９ａを有する。係止爪８ａ、９ａ各々は、カバー６の外方に向いて長手方向に突出する矩形の突起である。
ロック駒８、９の対向する端部には、長手方向に凹設されたバネ挿入孔が各々形成される。該バネ挿入孔内部各々には、バネ１１の両端がそれぞれ挿入されて、図３、あるいは図４に示されるごとく、該バネ挿入孔の間に挟まれるようにバネ１１が配される。バネ１１は、該バネ挿入孔の間に配されることによって、ロック駒８、９より外れることなく確実に位置決めされており、ロック駒８、９を長手方向に互いに遠ざかるように付勢している。
よって、バネ１１で付勢されたロック駒８、９の係止爪８ａ、９ａが、カバー６の切欠部６ａ各々より、カバー６の外方に突出する。
【００１４】
また、ロック駒８、９は、カバー６の内部に位置するところの、その内側に倣い斜面８ｂ、９ｂを各々有する。倣い斜面８ｂ、９ｂとは、ロック駒８、９における、開口部５に向いた長手方向に沿った外端辺より、開口部５に向けて約４５度の角度で斜めに延出する斜面である。倣い斜面８ｂ、９ｂは、その斜面の延長が互いに交わるような方向に形成されることが、図４より見て取れる。
【００１５】
ここで、ロック駒８、９に各々隣接して１組のプッシュボタン７が配される。プッシュボタン７は、形状、厚みが等しい同一部材から成り、ロック駒８、９を挟んで短手方向に対向して配され、かつ外方より指圧可能なように、開口部５より、その外端が短手方向に各々突出する。
プッシュボタン７各々は、短手方向に長い楕円形状で、上下にぬける貫通孔である長穴７ａを有する。カバー６の上面に穿設された、上下にぬける貫通孔であり、短手方向に並列する１組の穴６ｄに、カバー６の外部より上下に挿入されたピン１０が、該長穴７ａ各々に挿通される。ピン１０の下端は、さらに、外板３の棒状体を短手方向に繋ぐ平板状の切片を貫いて、その下面に露出する。その露出するピン１０の下端がカシメ固定されて、ピン１０は外板３に固定される。図３に、カシメ固定されたピン１０の下端が、カシメ部１０ａとして示されている。
よって、プッシュボタン７各々は、ピン１０によりカバー６の内部から抜けなくなると共に、そのピン１０が長穴７ａ内部を相対的に移動できる長さが、プッシュボタン７各々が短手方向に摺動できる長さとなり、その結果ピン１０によってプッシュボタン７の抜け防止とストローク量が設定される。
【００１６】
さらに、プッシュボタン７各々は、短手方向に対向して、その内端にカム７ｂを有する。カム７ｂとは、各プッシュボタン７における、壁部６ｂに向かう長手方向に沿った内端辺から、開口部５に向けて約４５度の角度で略ハの字型に切り欠かれた１組の斜面を示す。該斜面は、長手方向に対向して設けられ、その延長が互いに交わるような方向に形成されることが、図４より見て取れる。
【００１７】
このとき、各プッシュボタン７の内端に形成されたカム７ｂと、ロック駒８、９の内側に形成された倣い斜面８ｂ、９ｂとが、図４のごとく互いに当接して係合しあい、カム機構を成している。詳しくは、カム７ｂの１組の斜面のうち、一方の斜面にロック駒８の倣い斜面８ｂが当接して係合し、かつカム７ｂの他方の斜面にロック駒９の倣い斜面９ｂが当接して係合して、よってカム機構を成している。
カム機構の作用は次の通りである。すなわち、各プッシュボタン７の外方より短手方向に指圧して、互いに近づけるように摺動させると、カム７ｂが倣い斜面８ｂ、９ｂを短手方向に押圧し、よって斜面８ｂ、９ｂは、長手方向に互いに近づくように負荷される。したがって、ロック駒８、９が、バネ１１を長手方向に圧しながら、長手方向に互いに近づくように摺動し、ロック駒８、９の係止爪８ａ、９ａが、カバー６の切欠部６ａ各々よりカバー６の内部に没入する。
ここで、各プッシュボタン７より指を離して指圧を除けば、バネ１１の弾発力によって、ロック駒８、９が長手方向に互いに遠ざかり、係止爪８ａ、９ａが、切欠部６ａ各々よりカバー６の外部に突出する。と同時にロック駒８、９の倣い斜面８ｂ、９ｂとが、カム７ｂを短手方向に沿って外方に付勢し、よってプッシュボタン７各々は、短手方向に互いに遠ざかるように摺動し、指圧する前の位置まで戻る。
このように、カム機構は、バネ１１を介した、各プッシュボタン７の短手方向の動きと、ロック駒８、９の係止爪８ａ、９ａの長手方向の動きとを変換し、延いては、各プッシュボタン７の指圧、及び指圧の解除により、係止爪８ａ、９ａをカバー６より出没させる作用をするものである。
【００１８】
さて、ここで、プッシュボタン７、バネ１１、ロック駒８、９の関連性と、カバー６と開口部５への内蔵係止方法について、まとめる。ロック駒８、９は２個一組を開口部５にそれぞれバネ１１と共に進入し、中央の壁部６ｂに沿って２個のバネ１１の弾性力によって長手方向両側に押圧され、カバー６の切欠部６ａ、６ｂより係止爪８ａ、９ａが出没可能に配設されている。又、ロック駒８、９は、プッシュボタン７のカム７ｂと係合する倣い斜面８ｂ、９ｂを有して、両者でカム機構を形成しており、プッシュボタン７を指で押圧して操作すると、カム機構によりロック駒８、９と連動しカバー６から突出した係止爪８ａ、９ａが没入する構造になっている。カバー６は、これらを全て収納すると共に、外板３の短手方向両側に形成した突出部３ａとカバー６に形成したガイド部６ｃにより、短手方向と長手方向に対し動きを規制する案内部分を有し、さらに外板３には、２ヵ所の貫通穴と、プッシュボタン７に設けた長穴７ａと、カバー６に貫通した２ヵ所の穴に対し、ピン１０の２本を進入後カシメ部１０ａ部分をカシメ固定することでそれぞれ内蔵係止した本発明におけるプッシュボタン部分の構造が完成する。
【００１９】
次に、本発明による観音開き型プッシュ中留の着脱方法について説明する。
まず、装着するには、ー方の表板２をカバー６の上方より押圧し、中板４を長手方向に沿って回動させる。中板４は、その凹部４ａで外板３の跳ね上げ片３ｂを撓ませつつ回動する。そして、カバー６の切欠部６ａより突出した係止爪８ａ、９ａの先端上面に、表板２の凸部下面近傍を当接させる。さらに、表板２を押圧すると、長手方向に沿って回動する軌跡をたどる表板２への押圧力が、係止爪８ａ、９ａに負荷される。すると、係止爪８ａ、９ａが同方向に押圧され、よってロック駒８、９がバネ１１を圧しつつ長手方向に摺動して後退し、係止爪８ａ、９ａが、切欠部６ａよりカバー６内部に没入する。
次の瞬間、表板２の凸部に設けられた、角窓である係止部２ａが、切欠部６ａの位置に達すると、表板２の凸部で押さえられていた係止爪８ａ、９ａが、角窓である係止部２ａに臨んで解放されるため、ロック駒８、９が、バネ１１の弾発力により長手方向に摺動して前進し、よって係止爪８ａ、９ａが係止部２ａ内部に進入して、係止部２ａと係止爪８ａ、９ａとが係止される。このとき、図１のように、表板２の屋根部２ｂが、カバー６上面のおおよそ半分を覆うようにして閉じる。
以上のように、ー方の表板２を係止させた後に、他方の表板２を同様に操作して、両方の表板２を係止爪８ａ、９ａに係止させることができる。すると、他方の表板２の屋根部２ｂが、カバー６上面の残りの半分を覆うようにして閉じ、カバー６は上面からは見えなくなる。
ところで、他方の表板２を係止する時に、既に一方の表板２を係止している方の係止爪８ａ、９ａも同時にカバー６内に没入するが、カバー６の外部に突出する係止爪８ａ、９ａの寸法は同一で、どちらかが短いということはなく、かつ係止爪８ａ、９ａが没入するのは瞬時であるために、一方の表板２の係止が外れるることはない。
【００２０】
表板２と係止爪８ａ、９ａの係止を解除するには、プッシュボタン７双方を短手方向に挟むように指圧することにより、カム７ｂと倣い斜面８ｂ、９ｂとが連動するカム機構によって、角窓である係止部２ａ内部から係止爪８ａ、９ａをカバー６内部に後退没入させる。すると、外板３の跳ね上げ片３ｂの弾発力により、中板４が、長手方向に沿って互いに開くように上方に向けて回動する。
プッシュボタン７双方を指圧することにより、計４個の係止爪８ａ、９ａと表板２の係止部２ａとの係止を、同時に解除させることができる。しかしながら、プッシュボタン７のいずれか一方を指圧するだけでは、係止爪８ａ、９ａのいずれか一方は、カバー６内部に没入するが、いずれか他方は、表板２の係止部２ａと係止されたままである。したがって、プッシュボタン７のいずれか一方を指圧するだけでは、表板２の係止が解除することはない。
【００２１】
なお、図３のごとく、ロック駒８、９の係止爪８ａ、９ａにおける、切欠部６ａよりカバー６の外部に突出した先端上面には、長手方向に沿って先端に向かい、上面より下面に斜めに切り欠かれた案内斜面を設けると良い。すると、表板２の凸部下面近傍によって係止爪８ａ、９ａが押圧された時、該案内斜面に案内されて、円滑にロック駒８、９が長手方向に摺動して、円滑に係止爪８ａ、９ａがカバー６内部に没入することができる。
また、図３のごとく、係止爪８ａ、９ａの下面は、ロック駒８、９の他の下面より上方に一段高くなって、短手方向に沿った段落部が形成されている。該段落部が、切欠部６ａの下方の内壁に当接することにより、ロック駒８、９が、カバー６内部から確実に抜けなくなると共に、カバー６外部へ突出する係止爪８ａ、９ａの長さが設定される。
【００２２】
さらになお、カバー６の壁部６ｂは、ロック駒８、９に挟まれて、ロック駒８、９を長手方向に円滑に摺動させるべく案内するものである。加えて、ロック駒８、９が当接していると、ロック駒８、９のどちらか一方が摺動した時、他方が摩擦で共に摺動してしまうため、壁部６ｂは、ロック駒８、９を隔離するものでもある。しかしながら、壁部６ｂは、例えば図示していないが、丸ピンを適宜数カバー６に固定して代換しても良い。
また、跳ね上げ片３ｂは、中板４をその弾発力を利用し跳ね上げることで、表板２の解除が速やかに機能させる働きを有するが、跳ね上げ片３ｂが無くても機能、構造上問題はない。
【００２３】
【発明の効果】
上記のごとく本発明によれば、カバーに、係止爪を有するロック駒を長手方向に摺動可能に内蔵係止し、かつプッシュボタンの内端と前記ロック駒の内側とをカム機構で係合させ、よって、前記カム機構により、前記プッシュボタンの短手方向の摺動に連動して前記ロック駒が長手方向に摺動し、しこうして、前記係止爪が前記カバーから長手方向に出没するように構成したので、
前記カバーの押圧方向と前記係止爪の出没方向とを長手方向に単一指向化でき、よって前記係止爪と前記係止部との接触抵抗の軽減化ができるため、前記係止爪と前記係止部の削れの防止、あるいは前記係止爪の曲がりや折れの防止をすることができ、長期にわたり前記プッシュボタンの指圧操作のみで簡単に、かつ確実に係止が解除できる観音開き型プッシュ中留を実現できる。
また、前記カム機構によって、前記プッシュボタンの短手方向の動きと、前記ロック駒の係止爪の長手方向の動きとを変換し、延いては、前記プッシュボタンの指圧、及び指圧の解除により、前記係止爪を前記カバーより確実に出没させることができる。
また、前記係止爪の出没方向は長手方向でありながら、前記プッシュボタンの指圧方向は、携帯者が極めて指圧しやすい短手方向に設定することができる。
【００２４】
また、前記カム機構は、前記プッシュボタンの内端に形成されたカムと、前記ロック駒の内側に形成された倣い斜面から成るように構成したので、
コストアップにならない簡単な構造で前記カム機構を構成でき、かつ確実に前記プッシュボタンの短手方向の動きと、前記ロック駒の係止爪の長手方向の動きとを変換し、延いては、前記プッシュボタンの指圧、及び指圧の解除により、前記係止爪を前記カバーより確実に出没させることができる。
【００２５】
また、前記プッシュボタンの内端と、長手方向に沿って対向して配置される１組の前記ロック駒の内側各々とが、前記カム機構で係合しており、前記プッシュボタンの押圧により、１組の前記ロック駒各々が長手方向に互いに近ずくように摺動するように構成したので、
前記カム機構によって、１個の前記プッシュボタンの短手方向の動きと、１組の前記ロック駒の係止爪の長手方向の動きとを変換でき、前記プッシュボタンの指圧、及び指圧の解除により、前記カバーの長手方向に沿った両側より前記係止爪を確実に出没させることができるので、１個の前記プッシュボタンを指圧操作のみで、対向する１組の装身具（前記表板）の係止解除と解放ができる。
また、前記プッシュボタンを短手方向に対向する１組として配して、４個のロック駒を独立させて前記カム機構によって係合させれば、１組の前記装身具各々に２個の前記係止爪が係止されるので、係止がより強固な確実なものとなる。加えて、１組の前記プッシュボタンの双方を同時に指圧しなければ、係止は解除されないので、前記プッシュボタンのどちらか一方が、意図しない外力によって押圧されても、前記装身具が解放されて脱落することがなく、安全性の高い観音開き型プッシュ中留を実現できる。
【００２６】
また、前記中板の他端部に前記表板を回動可能に枢軸止めし、前記表板に前記装身具を回動可能に枢軸止めし、かつ前記表板に前記係止爪が掛脱する係止部を設けたので、
前記装身具に前記係止部を形成する特別な加工を必要とせず、あらゆる装身具を連結することができる。
【００２７】
また、前記中板を閉じると、前記表板は、カバーの長手方向に掛止され、このとき、前記表板は、前記カバーに向かって延出した屋根部を有しており、前記屋根部が前記カバー上面を覆うように構成したので、
外観の見栄えが向上され高級感のある観音開き型プッシュ中留の構造を提供できる。
【００２８】
また、前記外板には、前記中板を上方に押し上げる跳ね上げ片を設けたので、前記装身具の解除が速やかで円滑となる。
【図面の簡単な説明】
【図１】本発明に係わる、時計バンドに用いた観音開き型プッシュ中留の斜視図である。
【図２】本発明に係わる、観音開き型プッシュ中留の分解斜視図である。
【図３】本発明に係わる、観音開き型プッシュ中留の係止部のバンド長手方向の組立断面図である。
【図４】本発明に係わる、観音開き型プッシュ中留のプッシュボタン、ロック駒、バネの内蔵係止関係を示す平面組立断面図である。
【図５】従来の観音開き型プッシュ中留を半展開状態にて示す斜視図である。
【図６】従来の観音開き型プッシュ中留のプッシュボタン部分の拡大横断面図である。
【符号の説明】
１  バンド本体
２  表板
２ａ  係止部
２ｂ  屋根部
３  外板
３ａ  突出部
３ｂ  跳ね上げ片
４  中板
４ａ  凹部
５  開口部
６  カバー
６ａ  切欠部
６ｂ  壁部
６ｃ  ガイド部
６ｄ  穴
７  プッシュボタン
７ａ  長穴
７ｂ  カム
８、９  ロック駒
８ａ、９ａ  係止爪
８ｂ、９ｂ  倣い斜面
１０  ピン
１０ａ  カシメ部
１１  バネ
【図１】
0003569034.tif 000002
【図２】
0003569034.tif 000003
【図３】
0003569034.tif 000004
【図４】
0003569034.tif 000005
【図５】
0003569034.tif 000006
【図６】
0003569034.tif 000007